(57)【要約】【課題】自装置に装着されている無線通信機能付きのリムーバブル記憶装置内のデータが外部から更新されたことを自動で認識することのできる情報処理装置を提供する。【解決手段】  リムーバブル記憶装置が接続される接続部と、該接続部にリムーバブル記憶装置が接続されている間、該接続部に接続されているリムーバブル記憶装置の記憶内容に、新たなデータが記憶された、既存のデータが変更されたなどのような変化が発生したか否かの検査を繰り返し行う検査部とを備える。【選択図】図５
2015098160.tif 000002
【特許請求の範囲】
【請求項１】
リムーバブル記憶装置が接続される接続部と、
前記接続部にリムーバブル記憶装置が接続されている間、前記接続部に接続されているリムーバブル記憶装置の記憶内容の変化の検査を繰り返し行う検査部と、
を備える
ことを特徴とする情報処理装置。
【請求項２】
前記接続部に接続されているリムーバブル記憶装置が無線通信機能を備えているか否かを判定する判定部を有し、
前記検査部は、前記判定部の判定結果が無線通信機能有りを示す場合にのみ、前記検査を繰り返し行う
ことを特徴とする請求項１に記載の情報処理装置。
【請求項３】
前記接続部にリムーバブル記憶装置が新たに接続されたとき、前記リムーバブル記憶装置に記憶されているデータの一覧またはサムネイル画像を生成し、、前記リムーバブル記憶装置の記憶内容の変化が前記検査部によって検出されたとき、前記一覧またはサムネイル画像を更新する一覧作成部をさらに有する
ことを特徴とする請求項１または２に記載の情報処理装置。
【請求項４】
記憶部と、
用紙に画像形成する画像形成部と、
前記画像形成に係る制御を行う制御部と、
を備え、
前記制御部は、前記リムーバブル記憶装置に記憶されているデータに基づいて前記画像形成部で画像形成を行う場合は、前記リムーバブル記憶装置に記憶されているデータを読み出して前記記憶部に保存し、前記記憶部が保存しているデータに基づいて前記画像形成部に画像形成を行わせる
ことを特徴とする請求項１乃至３のいずれか１つに記載の情報処理装置。
【請求項５】
用紙に画像形成する画像形成部と、
前記画像形成に係る制御を行う制御部と、
を備え
前記制御部は、前記リムーバブル記憶装置に新たなデータが追加記憶されたことが前記検査部によって検出されたとき、その追加記憶されたデータが印刷指示を含むか否かを判定し、印刷指示を含む場合は、該印刷指示が指定する印刷対象のデータに基づいて前記画像形成部に画像形成を行わせる
ことを特徴とする請求項１乃至３のいずれか１つに記載の情報処理装置。
【請求項６】
前記追加記憶されたデータは、前記印刷指示と前記印刷対象のデータの双方を含むファイルである
ことを特徴とする請求項５に記載の情報処理装置。
【請求項７】
前記印刷指示は、第１のファイルによって行われ、
前記制御部は、前記印刷指示の指定する第２のファイルに基づいて前記画像形成部に画像形成を行わせる
ことを特徴とする請求項５に記載の情報処理装置。
【請求項８】
当該情報処理装置の電力モードを通常モードと該通常モードよりも消費電力の少ない省電力モードに切り替える省電力制御部を備え、
前記省電力制御部は、前記省電力モードの状態で、前記リムーバブル記憶装置に新たなデータが追加記憶されたことが前記検査部によって検出された場合は、前記通常モードに切り替える
ことを特徴とする請求項１乃至７のいずれか１つに記載の情報処理装置。
【請求項９】
当該情報処理装置の電力モードを通常モードと該通常モードよりも消費電力の少ない省電力モードに切り替える省電力制御部を備え、
前記省電力制御部は、前記通常モードから前記省電力モードへの切り替えを待機状態が規定時間継続した場合に行い、前記リムーバブル記憶装置に新たなデータが追加記憶されたことが前記検査部によって検出された場合は、前記規定時間を延長する
ことを特徴とする請求項１乃至７のいずれか１つに記載の情報処理装置。
【発明の詳細な説明】
【技術分野】
【０００１】
本発明は、装着されたリムーバブル記憶装置内のデータを読み込む情報処理装置に関する。
【背景技術】
【０００２】
携帯端末から無線通信によってファイルをＭＦＰ（Multifunction Peripheral）に送信し、印刷を行わせる技術がある（特許文献１参照）。ここで、携帯端末とＭＦＰを無線通信によって接続する場合、該携帯端末を、ＭＦＰと同じローカルネットワークに接続する必要がある。そして、ＭＦＰと同じローカルネットワークに接続するためには、ＭＦＰと同じネットワーク用のＩＰ（Internet Protocol）アドレスを取得する必要がある。特に、ＤＨＣＰ(Dynamic Host Configuration Protocol)を用いずにＩＰアドレスを管理している環境では、ＩＰアドレスを新たに管理者に申請して取得する必要があり手間がかかる。
【０００３】
また、携帯端末用のＩＰアドレスを取得しても、ＭＦＰと接続する為に、ＭＦＰのＩＰアドレスを知らなければ、接続することができない。通常、ＭＦＰのＩＰアドレスは、管理者用の画面からしか確認できないことが多く、その場合、携帯端末の利用者はＭＦＰのＩＰアドレスを管理者に問い合わせなければならない。
【０００４】
ところで、2012年1月ＳＤ（Secure Digital）カードの規格化団体 ＳＤ Association が、無線ＬＡＮ（Local Area Network）接続機能を内蔵したWireless LAN ＳＤ 規格の策定を発表した。これにより、この規格に準拠したＳＤカード(以下、無線ＳＤカード)を用いた場合、無線ＳＤカードを装着した装置が無線通信の機能を有していなくても、無線ＳＤカード自体が無線通信機能を内蔵しているため、携帯端末等から無線通信で、無線ＳＤカードの中身を読み書き出来るようになった。なお、無線ＳＤカードは、装置本体に着脱可能（リムーバブル）な記憶装置である。
【０００５】
通常、無線ＳＤカードは、デジタルカメラ等で撮影した画像を携帯端末で取得するために使われる。すなわち、デジタルカメラで撮影して得た画像を該デジタルカメラに装着中の無線ＳＤカードに保存し、携帯端末が該無線ＳＤカードに保存された画像を無線通信によって読み取るといった使い方がなされる。
【０００６】
しかし、逆に携帯端末から、無線ＳＤカードに無線通信でファイルを保存する（書き込む）ことも可能となっている。よって、無線ＳＤカードをＭＦＰに装着した場合、携帯端末から無線通信によって無線ＳＤカードにファイルを保存し、ＭＦＰのパネル操作で、この無線ＳＤカード内のファイルを読み出して印刷することが可能になる。この場合、ＩＰアドレス等を取得したり、ＭＦＰと携帯端末を無線通信によって接続したりする必要がないので、接続に関して高い利便性が得られる。
【０００７】
ところで、通常、ＭＦＰは無線機能を有していないリムーバブル記憶装置（たとえば汎用的なＳＤカード）も使用する。従来、ＭＦＰは、リムーバブル記憶装置が装着された時にのみ、該リム―バブル記憶装置との通信を行って、該リムーバブル記憶装置内の文書の一覧やサムネイル画像の作成を行い、以降は、リムーバブル記憶装置との通信を行うことなく、この一覧とサムネイル画像を用いてパネル表示を行っている。これは、無線ＳＤカードが登場する以前は、リムーバブル記憶装置をＭＦＰに装着している間にこのリムーバブル記憶装置の記憶内容をＭＦＰ以外の外部から変更（新規ファイルの書き込みなど）することができなかったので、上記パネル表示のために行うリム―バブル記憶装置との通信は、リムーバブル記憶装置を装着した時にだけ行えば充分であったためである。
【０００８】
従って、従来のようにリムーバブル記憶装置をＭＦＰに装着した時にのみリム―バブル記憶装置との通信を行う構成では、無線通信によって、ＭＦＰ以外の外部からＭＦＰに装着されている無線ＳＤカード内のデータの変更（新規ファイルの書き込みなど）があった場合、ＭＦＰは該変更があったことを認識できないという問題がある。
【０００９】
特許文献２には、操作パネルから受けたユーザの指示に従って、自装置に装着されている無線ＳＤカード内のファイルを印刷する画像形成装置が記載されている。特許文献２に記載の画像形成装置は、操作パネルで受けた操作に従って装着中の無線ＳＤカードの中身を読み込み、装着時と比べて変更があった内容を更新している。これにより装着後に該無線ＳＤカードの中身が更新された場合であっても、その更新されたファイルを読み出すことができる（特許文献２参照）。
【先行技術文献】
【特許文献】
【００１０】
【特許文献１】特開２００６−２０２３３１号公報
【特許文献２】特開２０１１−０３４５５１号公報
【発明の概要】
【発明が解決しようとする課題】
【００１１】
しかし、特許文献２に記載の画像形成装置では、ユーザの指示に従って無線ＳＤカードの中身を読み込むので、その手間が煩わしい。たとえば、新たに追加されたファイルを印刷する場合、携帯端末からファイルを送信する操作と、画像形成装置側でファイルを指定して印刷指示する操作の双方が必要となる。新たに追加されたファイルを、直ぐに印刷する場合等には、該ファイルが無線ＳＤカードに追加されたことをユーザが把握していなければならない。
【００１２】
本発明は、上記の問題を解決しようとするものであり、自装置に装着されている無線通信機能付きのリムーバブル記憶装置内のデータが外部から更新されたことを自動で認識することのできる情報処理装置を提供することを目的としている。
【課題を解決するための手段】
【００１３】
かかる目的を達成するための本発明の要旨とするところは、次の各項の発明に存する。
【００１４】
［１］リムーバブル記憶装置が接続される接続部と、
前記接続部にリムーバブル記憶装置が接続されている間、前記接続部に接続されているリムーバブル記憶装置の記憶内容の変化の検査を繰り返し行う検査部と、
を備える
ことを特徴とする情報処理装置。
【００１５】
上記発明では、自装置に接続されたリムーバブル記憶装置の記憶内容の変化の検査を繰り返し実行している。これにより、無線通信機能付きのリムーバブル記憶装置が装着されて、その記憶内容が外部の装置から変更された場合でも、該変更を自動的に検出して対応することができる。
【００１６】
なお、リムーバブル記憶装置が無線通信機能を有するか否かに係らず、記憶内容の変化の検査を繰り返し行うので、無線通信機能付きのリムーバブル記憶装置か否かのチェックが不要かつ、チェック結果に従って処理を切り替えることも不要となり、処理が共通化されて簡略になる。
【００１７】
［２］前記接続部に接続されているリムーバブル記憶装置が無線通信機能を備えているか否かを判定する判定部を有し、
前記検査部は、前記判定部の判定結果が無線通信機能有りを示す場合にのみ、前記検査を繰り返し行う
ことを特徴とする［１］に記載の情報処理装置。
【００１８】
上記発明では、無線通信機能を持たないリムーバブル記憶装置は、外部の装置から記憶内容が変更されることはないので、無線通信機能を有するリムーバブル記憶装置が接続された場合のみ、前述の検査を繰り返し実行する。無線通信機能を持たないリムーバブル記憶装置が接続された場合は、検査の繰り返しは禁止される。
【００１９】
［３］前記接続部にリムーバブル記憶装置が新たに接続されたとき、前記リムーバブル記憶装置に記憶されているデータの一覧またはサムネイル画像を生成し、前記リムーバブル記憶装置の記憶内容の変化が前記検査部によって検出されたとき、前記一覧またはサムネイル画像を更新する一覧作成部をさらに有する
ことを特徴とする［１］または［２］に記載の情報処理装置。
【００２０】
上記発明では、リムーバブル記憶装置が新たに接続されたとき、該リムーバブル記憶装置に記憶されているデータの一覧またはサムネイル画像を生成する。また、該リムーバブル記憶装置の記憶内容の変化を検出したら、前述の一覧またはサムネイル画像を、該変化に合わせて更新する。たとえば、新たなデータが追加された場合は、一覧に該データを加えたり、該データに対応するサムネイル画像を生成したりする。変化を検出したら更新を行うので、たとえば、ユーザの操作を受けてから前述の検査を行って更新する場合に比べて、更新が完了するまでの待ち時間を省略することができる。特に、サムネイル画像の生成にはある程度の時間がかかるので効果的である。
【００２１】
［４］記憶部と、
用紙に画像形成する画像形成部と、
前記画像形成に係る制御を行う制御部と、
を備え、
前記制御部は、前記リムーバブル記憶装置に記憶されているデータに基づいて前記画像形成部で画像形成を行う場合は、前記リムーバブル記憶装置に記憶されているデータを読み出して前記記憶部に保存し、前記記憶部が保存しているデータに基づいて前記画像形成部に画像形成を行わせる
ことを特徴とする［１］乃至［３］のいずれか１つに記載の情報処理装置。
【００２２】
上記発明では、リムーバブル記憶装置に記憶されているデータに基づいて画像形成を行う場合は、リムーバブル記憶装置に記憶されているデータを読み出して記憶部に保存し、該記憶部が保存しているデータに基づいて画像形成を行う。リムーバブル記憶装置からデータを読み出しながら画像形成を実行する場合には、画像形成の実行中に外部装置から該データが変更（たとえば削除など）されると画像形成に支障が生じて処理を途中で中断等しなければならないが、自装置の記憶部に保存したデータに基づいて画像形成を行うので、画像形成中にリムーバブル記憶装置のデータが変更されても前述の中断等を回避することができる。
【００２３】
［５］用紙に画像形成する画像形成部と、
前記画像形成に係る制御を行う制御部と、
を備え
前記制御部は、前記リムーバブル記憶装置に新たなデータが追加記憶されたことが前記検査部によって検出されたとき、その追加記憶されたデータが印刷指示を含むか否かを判定し、印刷指示を含む場合は、該印刷指示が指定する印刷対象のデータに基づいて前記画像形成部に画像形成を行わせる
ことを特徴とする［１］乃至［３］のいずれか１つに記載の情報処理装置。
【００２４】
上記発明では、リムーバブル記憶装置に新たなデータが追加記憶されたことを検出したとき、その追加記憶されたデータが印刷指示を含む場合は、該印刷指示が指定する印刷対象のデータに基づいて画像形成を行う。これにより、ユーザが情報処理装置にて印刷指示に係る操作を行わなくとも、画像形成が実行される。印刷指示が指定する印刷対象のデータは、リムーバブル記憶装置に既に記憶されているデータでもよいし、印刷指示と共に新たに追加記憶されたデータでもよいし、情報処理装置に記憶されているデータでもよい。
【００２５】
［６］前記追加記憶されたデータは、前記印刷指示と前記印刷対象のデータの双方を含むファイルである
ことを特徴とする［５］に記載の情報処理装置。
【００２６】
上記発明では、追加記憶されるデータはファイルであり、その１つのファイルの中に印刷対象のデータと印刷指示が含まれる。たとえば、ＰＤＦ（Portable Document Format）ファイルの場合は、先頭ページに印刷指示に係る記述が含まれる。
【００２７】
［７］前記印刷指示は、第１のファイルによって行われ、
前記制御部は、前記印刷指示の指定する第２のファイルに基づいて前記画像形成部に画像形成を行わせる
ことを特徴とする［５］に記載の情報処理装置。
【００２８】
上記発明では、印刷指示を含むファイルと、該印刷指示が印刷対象として指定するファイルは別々のファイルである。第１のファイルの印刷指示により印刷対象として指定される第２のファイルは、リムーバブル記憶装置に保存されているファイルでも、情報処理装置に保存されているファイルでもよい。
【００２９】
［８］当該情報処理装置の電力モードを通常モードと該通常モードよりも消費電力の少ない省電力モードに切り替える省電力制御部を備え、
前記省電力制御部は、前記省電力モードの状態で、前記リムーバブル記憶装置に新たなデータが追加記憶されたことが前記検査部によって検出された場合は、前記通常モードに切り替える
ことを特徴とする［１］乃至［７］のいずれか１つに記載の情報処理装置。
【００３０】
上記発明では、情報処理装置は、電力モードを通常モードと該通常モードよりも消費電力の少ない省電力モードに切り替え可能であって、省電力モードの状態で、リムーバブル記憶装置に新たなデータが追加記憶されたことを検出した場合は通常モードに切り替える。新たなデータが追加記憶されたら、直後にユーザから操作を受けたり、ジョブを実行したりする可能性が高いので、直ぐに通常モードに復帰することで、該復帰のためのユーザの待ち時間を短くすることができる。
【００３１】
［９］当該情報処理装置の電力モードを通常モードと該通常モードよりも消費電力の少ない省電力モードに切り替える省電力制御部を備え、
前記省電力制御部は、前記通常モードから前記省電力モードへの切り替えを待機状態が規定時間継続した場合に行い、前記リムーバブル記憶装置に新たなデータが追加記憶されたことが前記検査部によって検出された場合は、前記規定時間を延長する
ことを特徴とする［１］乃至［７］のいずれか１つに記載の情報処理装置。
【００３２】
上記発明では、通常モードから省電力モードへの切り替えを待機状態が規定時間継続した場合に行うと共に、リムーバブル記憶装置に新たなデータが追加記憶されたことを検出した場合は、該規定時間を延長する。新たなデータが追加記憶されたら、直後にユーザから操作を受けたり、ジョブを実行したりする可能性が高い。よって、規定時間を延長することで、追加記憶されたデータに対する操作を受ける前に、省電力モードに入ってしまう可能性が低くなる。
【発明の効果】
【００３３】
本発明に係る情報処理装置によれば、自装置に装着されているリムーバブル記憶装置が無線通信機能を有していて、その記憶内容が外部から更新されたとしても、その更新を自動で認識して対応することができる。
【図面の簡単な説明】
【００３４】
【図１】本発明に係る画像形成装置と、無線ＳＤカード、携帯端末を示す説明図である。
【図２】本発明の実施の形態に係る画像形成装置の構成を示すブロック図である。
【図３】本発明の実施の形態に係る携帯端末の構成を示すブロック図である。
【図４】無線ＳＤカードと無線通信で接続する際に、携帯端末に表示される画面の例を示す図である。
【図５】無線ＳＤカードの記憶内容の更新に合わせて、画像形成装置がファイルの一覧を更新する様子を示す図である。
【図６】携帯端末が、ファイルと該ファイルの印刷指示を無線ＳＤカードに送信する際に表示する画面の例を示す図である。
【図７】印刷指示を含むＰＤＦファイルの先頭ページの記述内容の例を示す図である。
【図８】画像形成装置が、無線ＳＤカード内のファイルに従って印刷を行う様子を示す図である。
【図９】ＳＤカードが装着された後に画像形成装置が行う処理を示す流れ図である。
【発明を実施するための形態】
【００３５】
以下、図面に基づき本発明の実施の形態を説明する。
【００３６】
図１は、リムーバブル記憶装置としての機能を果たす無線ＳＤカード３５と、本発明に係る情報処理装置としての機能を果たす画像形成装置１０、および無線ＳＤカード３５と無線通信を行う携帯端末４０を示す。
【００３７】
無線ＳＤカード３５は、持ち歩きが可能なリムーバブル記憶装置であり、画像形成装置１０の外部メモリ接続部２１（図２参照）に着脱可能に有線接続される。また、無線ＳＤカード３５は、ＬＡＮ（Local Area Network）等の無線通信によって携帯端末４０と無線接続することが可能である。無線ＳＤカード３５と有線接続された装置（画像形成装置１０）および無線通信にて接続された無線装置（携帯端末４０）は、該無線ＳＤカード３５の記憶領域へのデータの読み書きが可能となる。
【００３８】
携帯端末４０は、持ち歩きが可能な端末である。携帯端末４０は、ユーザから受けた指示に従って、無線通信によって無線接続されている無線ＳＤカード３５に対してデータの読み書きを行う。本発明の実施の形態ではファイル形式のデータ（以後ファイルと記す）の読み書きを行う。
【００３９】
画像形成装置１０は、原稿を光学的に読み取ってその複製画像を記録紙に印刷するコピージョブ、読み取った原稿の画像データをファイルにして保存したり外部装置へ送信したりするスキャンジョブ、ＰＣから送出されたデータに係る画像を記録紙に印刷して出力するプリントジョブ（印刷ジョブ）などのジョブを実行する機能を備えた、所謂、複合機である。本発明の実施の形態では、後述する外部メモリ接続部２１（図２参照）に無線ＳＤカード３５が着脱可能に有線接続（以後、有線接続を装着と呼ぶ）される。画像形成装置１０は、装着された無線ＳＤカードの記憶内容を読み取ったり、新たなデータ（ファイル）を書き込んだりすることができる。
【００４０】
本発明の画像形成装置１０は、装着された無線ＳＤカード３５の記憶内容の変化の検査を繰り返し行う。これにより、自装置に装着されている無線ＳＤカード３５の記憶内容が外部から更新されたことを自動で認識することができる。なお、画像形成装置１０は、無線ＳＤカード３５が新たに装着されたとき、無線ＳＤカード３５に記憶されているデータ（ファイル）の一覧またはサムネイル画像を生成し、表示部３１（図２参照）に表示する。その後、前述の検査にて変化を検出したら、該一覧またはサムネイル画像を更新する。
【００４１】
図２は、本発明の実施の形態に係る画像形成装置１０の概略構成を示すブロック図である。画像形成装置１０は、当該画像形成装置１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、ハードディスク装置１５と、画像処理部１６と、画像読取部１７と、プリンタ部１８と、ファクシミリ通信部１９と、ネットワーク通信部２０と、外部メモリ接続部２１と、ＡＤＦ（Auto Document Feeder）２２と、操作パネル３０とを備えている。
【００４２】
ＣＰＵ１１は、ＯＳ（Operating System）プログラムをベースとし、その上で、ミドルウェアやアプリケーションプログラムなどを実行する。また、ＣＰＵ１１は、操作パネル３０の表示内容の制御を行う制御部や、外部メモリ接続部２１に接続されている無線ＳＤカード３５の記憶内容の変化の検査を行う検査部としての機能を果たす。
【００４３】
ＲＯＭ１２には、各種のプログラムが格納されており、これらのプログラムに従ってＣＰＵ１１が各種処理を実行することで画像形成装置１０の各機能が実現される。また、ＲＯＭ１２には、画像形成装置１０の一連の制御をＣＰＵ１１が実行するためのプログラムが格納されている。
【００４４】
ＲＡＭ１３は、ＣＰＵ１１がプログラムに基づいて処理を実行する際に各種のデータを一時的に格納するワークメモリや画像データを格納する画像メモリなどとして使用される。
【００４５】
不揮発メモリ１４は、電源をオフにしても記憶内容が破壊されないメモリ（フラッシュメモリ）であり、各種設定情報の保存などに使用される。
【００４６】
ハードディスク装置１５は、大容量の不揮発の記憶装置であり、ＯＳプログラムや各種アプリケーションプログラム、ユーザ情報、印刷データや画像データ、ジョブ履歴などが保存される。
【００４７】
画像処理部１６は、画像の拡大縮小、回転などの処理のほか、印刷データをイメージデータに変換するラスタライズ処理、画像データの圧縮、伸張処理などを行う。本発明の実施の形態では、無線ＳＤカード３５に記憶されているデータ（ファイル）のサムネイル画像を生成する。
【００４８】
画像読取部１７は、原稿を光学的に読み取って画像データを取得する機能を果たす。画像読取部１７は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００４９】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００５０】
ファクシミリ通信部１９は、ファクシミリ機能を備えた外部装置と公衆回線を通じて画像データを送受信する機能を果たす。
【００５１】
ネットワーク通信部２０は、ＬＡＮなどのネットワークを通じて無線通信にて無線接続された外部装置との間でデータを通信する機能を果たす。
【００５２】
ＡＤＦ２２は、画像を読み取る際に、複数枚の原稿を連続して画像読取部１７の原稿台に送る自動給紙装置としての機能を果たす。一度に３０枚程度の原稿をセットすることが可能で、原稿を読み取るごとに原稿台にセットし直す手間を省略することができる。
【００５３】
外部メモリ接続部２１は、ＳＤカードを有線接続する為のコネクタを備えており、該コネクタに機械的に接続されたＳＤカードは、有線にて電気的に画像形成装置１０と接続される。なお、ＳＤカードが装着された場合、ＣＰＵ１１は、当該ＳＤカードが無線通信機能を有するＳＤカード（無線ＳＤカード３５）か、無線通信機能を持たない通常のＳＤカードかを判断する。
【００５４】
操作パネル３０は、表示部３１と、操作部３２とを備えている。操作部３２は、スタートボタンや戻る釦などのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。本実施の形態では、操作パネル３０が表示する表示内容の制御、操作パネル３０による操作の受け付けに関する制御はＣＰＵ１１が行う。
【００５５】
タッチパネル部３４は、表示部３１上に設けられている。タッチパネル部３４は、タッチペンや指などで押下された表示部３１上のタッチ位置（座標位置）を検出する。ＣＰＵ１１は、継続的に検出されるタッチ位置の変化（操作情報）から、フリック操作やドラッグ操作などを認識する。
【００５６】
図３は、携帯端末４０の概略構成を示すブロック図である。携帯端末４０は、当該携帯端末４０の動作を統括的に制御するＣＰＵ４１を有している。ＣＰＵ４１にはバスを通じてＲＯＭ４２と、ＲＡＭ４３と、不揮発メモリ４４と、ハードディスク装置４５と、ネットワーク通信部４６と、操作表示部５０とを備えている。
【００５７】
ＣＰＵ４１は、ＯＳプログラムをベースとし、その上で、ミドルウェアやアプリケーションプログラムなどを実行する。また、ＣＰＵ４１は、操作表示部５０の表示内容を制御する制御部としての機能を果たす。
【００５８】
ＲＯＭ４２には、各種のプログラムが格納されており、これらのプログラムに従ってＣＰＵ４１が各種処理を実行することで携帯端末４０の各機能が実現される。また、ＲＯＭ４２には、携帯端末４０の一連の制御をＣＰＵ４１が実行するためのプログラムが格納されている。
【００５９】
ＲＡＭ４３は、ＣＰＵ４１がプログラムに基づいて処理を実行する際に各種のデータを一時的に格納するワークメモリなどとして使用される。
【００６０】
不揮発メモリ４４は、電源をオフにしても記憶内容が破壊されないメモリ（フラッシュメモリ）であり、各種設定情報の保存などに使用される。
【００６１】
ハードディスク装置４５は、大容量の不揮発の記憶装置であり、ＯＳプログラムや各種アプリケーションプログラムなどのほか、画像ファイルや文書ファイルなどのようなファイルが保存される。
【００６２】
ネットワーク通信部４６は、ＬＡＮなどのネットワークを通じて無線ＳＤカード３５との間でデータを通信する機能を果たす。
【００６３】
操作表示部５０は、表示部５１と、操作部５２とを備えている。操作部５２は、スタートボタンや戻る釦などのスイッチ部５３とタッチパネル部５４とを備えている。表示部５１は、液晶ディスプレイなどで構成され、各種の操作画面、設定画面などを表示する機能を果たす。
【００６４】
タッチパネル部５４は、表示部５１上に設けられている。タッチパネル部５４は、タッチペンや指などで押下された表示部５１上のタッチ位置（座標位置）を検出する。ＣＰＵ４１は、継続的に検出されるタッチ位置の変化から、フリック操作やドラッグ操作、マルチタッチ操作などを認識する。
【００６５】
次に、携帯端末４０と無線ＳＤカード３５の接続手順について説明する。図４は、携帯端末４０と無線ＳＤカード３５を接続する際に、携帯端末４０の表示部５１に表示される画面を示す。
【００６６】
まず、ユーザは、無線ＳＤカード３５を画像形成装置１０に装着する。次に携帯端末４０にて専用のアプリケーションを立ち上げ、該携帯端末４０と無線通信が可能な機器の一覧６０を示す画面を表示部５１に表示させ、該一覧６０の中から接続先として無線ＳＤカード３５を選択する（Ｓ１）。
【００６７】
携帯端末４０は、接続先が選択されたらパスワード入力画面６１を表示し、パスワードの入力を受け付ける（Ｓ２）。無線ＳＤカード３５に予め設定されているパスワードが入力され、該パスワードによる認証が完了したら、無線ＳＤカード３５との間に無線通信を確立する（Ｓ３）。なお、該確立後は、前述の一覧６０にて無線ＳＤカード３５を示す部分に、無線通信が確立していることを示すマーク６２が表示される。
【００６８】
携帯端末４０は、無線ＳＤカード３５との間に無線通信を確立したら、新たなファイルを書き込んだり、ファイルを削除したりするなど無線ＳＤカード３５の記憶内容を変更することができる。無線ＳＤカード３５が装着されている画像形成装置１０は、無線ＳＤカード３５の記憶内容の変化の検査を繰り返し行い、該変更による記憶内容の変化を検出する。
【００６９】
図５は、画像形成装置１０が、装着されている無線ＳＤカード３５の記憶内容の変化を検出した場合に、表示部３１に表示中のファイルの一覧を更新する様子を示す。本発明の実施の形態では、画像形成装置１０は、無線ＳＤカード３５が装着されたときに無線ＳＤカード３５の記憶内容から、サムネイル画像によるファイルの一覧を生成し、表示部３１に表示する。その後、無線ＳＤカード３５の記憶内容の変化の検査を繰り返し行う。画像形成装置１０は、自装置が無線ＳＤカード３５の記憶内容を書き換えた時、および外部の装置から無線通信にて無線ＳＤカード３５の記憶内容が書き換えられた時に、前述の検査にて記憶内容の変化を検出し、該一覧を更新する。
【００７０】
図５では、画像形成装置１０が、ファイルの一覧としてＦｉｌe１とＦｉｌe２のサムネイル画像の一覧を表示部３１に表示している状態で、無線ＳＤカード３５に新たなファイルであるＦｉｌe３が外部からの無線通信によって追加されたことを検出している。その後、画像形成装置１０は、該Ｆｉｌｅ３のサムネイル画像を生成、追加することで、表示部３１に表示中のサムネイル画像の一覧を更新している。
【００７１】
このように画像形成装置１０は、装着されている無線ＳＤカード３５の記憶内容が携帯端末４０などの外部装置から変更された場合、その変更後の内容に合わせて、表示部３１に表示中のファイルの一覧を更新する。画像形成装置１０は無線ＳＤカード３５が装着された以後、記憶内容の変化の検査を繰り返し行い、記憶内容の変化を検出した場合にファイルの一覧を更新するので、たとえば、ユーザの操作を受けてから前述の検査を行って更新する場合に比べて、データの一覧が更新されるまでの待ち時間を省略することができる。特に、サムネイル画像の生成にはある程度の時間がかかるので効果的である。
【００７２】
記憶内容の変化の検査は、画像形成装置１０が無線ＳＤカード３５の記憶内容を繰り返しポーリングし、該ポーリングによって得た記憶内容を、前回のポーリングで得た記憶内容と比較して行う。記憶内容の変化の検査は、２０秒毎など、一定時間が経過する度に実行する。また、装着されている無線ＳＤカード３５の消費電力を監視し、消費電力に変化があった場合に、無線ＳＤカード３５の記憶内容が変更されたと判断して該検査を実行するようにしてもよい。
【００７３】
なお、画像形成装置１０は、ＳＤカードが装着された際に、そのＳＤカードが無線ＳＤカード３５か、無線通信機能を持たない通常のＳＤカードかを判断する。そして無線ＳＤカード３５であると判断した場合のみ、前述の記憶内容の変化の検査を行う。これにより無線通信機能を持たない通常のＳＤカードが装着された場合は、該検査を行わないので、その分電力消費量を抑えることができる。
【００７４】
図５では、無線ＳＤカード３５に新たなファイルが追加された場合を例に説明したが、たとえば、無線ＳＤカード３５が記憶しているファイルが削除された場合は、画像形成装置１０は、表示部３１に表示中のファイルの一覧から、該ファイルに対応するサムネイル画像を削除する。無線ＳＤカード３５に格納されている所定のファイルの内容が変更された場合は、その変更後の内容に対応するように該所定のファイルに対応するサムネイル画像を更新する。
【００７５】
なお、画像形成装置１０は、無線ＳＤカード３５に印刷指示に係るデータが書き込まれた（追加記憶された）場合、当該印刷指示に従って印刷を実行する。印刷指示に従って印刷を行う場合について詳細に説明する。
【００７６】
図６は、携帯端末４０から無線ＳＤカード３５に、新たなファイルとともに該ファイルの印刷指示を含むファイルを送信する様子を示す。まず、ユーザは、携帯端末４０にて、送信可能なファイルの一覧を表示部５１に表示させ、該一覧の中から無線ＳＤカード３５に送信するファイルを選択する。
【００７７】
携帯端末４０は、ファイルが選択されている状態で印刷釦６３が押下されたら、選択されているファイルと、該ファイルの印刷指示を含むファイルを無線ＳＤカード３５に送信する。図中ではFile２が選択されている状態で印刷釦６３が押下され、File２とFile２の印刷指示が無線ＳＤカード３５に送信されている。
【００７８】
画像形成装置１０は、外部の装置から無線ＳＤカード３５に印刷指示が新たに書き込まれた（追加記憶された）場合、その新たに書き込まれた印刷指示に従って印刷を実行する。図６では、印刷指示に従って、新たに書き込まれたFile２を印刷する。このように画像形成装置１０は、記憶内容の変化の検査を繰り返し行い、無線ＳＤカード３５に追加記憶された印刷指示を自動的に検出する。そして検出した印刷指示に従って自動で印刷を実行する。これにより、ユーザが画像形成装置１０にて印刷指示に係る操作を行うことなく印刷が実行される。
【００７９】
なお、図６では印刷指示自体が一つのファイルであったが、印刷対象となるデータとその印刷指示が１つのファイルに含まれていてもよい。図７は印刷対象のデータとその印刷指示の双方を含むファイルの一例を示す。
【００８０】
図７は、ＰＤＦファイル形式のデータの先頭ページの記載内容の一例を示す。一行目の「％PDF-1.2」は、このファイルがＰＤＦファイルであること、および準拠するＰＤＦ仕様のバージョンを示す。
【００８１】
二行目の「％ print 2in1 Color」は印刷指示であり、「print」が印刷命令を、「2in1」が2in1設定で該印刷を行うことを、「Color」がカラーで該印刷を行うことを示す。３行目以降は、印刷対象となる該ＰＤＦファイルの内容を示す。このように、印刷対象のデータとその印刷指示を同じファイルに含めることができる。
【００８２】
次に、画像形成装置１０が、無線ＳＤカード３５に記憶されているファイルに基づいて印刷を行う場合について説明する。画像形成装置１０は、装着されている無線ＳＤカード３５内のファイルを印刷する指示を受けた場合は、該ファイルを読み出してハードディスク装置１５に保存し、ハードディスク装置１５に保存したファイルを使用して印刷を実行する。
【００８３】
図８は、画像形成装置１０が無線ＳＤカード３５に記憶されているファイルに基づいて印刷を行う場合の処理手順を示す。まず、印刷対象のファイルを無線ＳＤカード３５から読み出し、その読み出したファイルをハードディスク装置１５に保存する。
【００８４】
その後、ハードディスク装置１５に保存されたファイルから印刷用データを作成する。具体的には、ファイル内のベクトルの情報をイメージに展開する。また、ＲＧＢなどの色情報から、イエロー（Ｙ）、マゼンタ（Ｍ）、シアン（Ｃ）、ブラック（Ｋ）の色成分のデータを作成したり、解像度をプリンタにあうように変換したりする。そしてその作成された印刷用データに基づいて印刷を行う。
【００８５】
このように、画像形成装置１０は、無線ＳＤカード３５内のファイルをハードディスク装置１５にコピーしてから印刷を行う。無線ＳＤカード３５からデータを読み出しながら印刷を実行する場合には、印刷の実行中に外部の装置から該データが変更（たとえば削除など）されると印刷に支障が生じて処理を途中で中断等しなければならないが、予めハードディスク装置１５に保存したファイルに基づいて印刷を行うので、無線ＳＤカード３５内のデータが変更されても前述の中断等を回避することができる。
【００８６】
次に、画像形成装置１０の電力モードについて説明する。画像形成装置１０は、自装置の電力モードを通常モードと該通常モードよりも消費電力の少ない省電力モードの切り替えが可能である。画像形成装置１０は、操作を受けない状態かつジョブを実行していない状態などのような待機状態が規定時間継続した場合に、通常モードから省電力モードへの切り替えを行う。これにより、省電力モード中の消費電力を抑えることができる。
【００８７】
そして、省電力モードの状態で、無線ＳＤカード３５に新たなデータが書き込まれたことを検出した場合や、非待機状態となった場合に通常モードに切り替える。新たなデータが書き込まれたら、その後、すぐにユーザからそのファイルに対する操作を受けたり、そのファイルを使用するジョブを実行したりする可能性が高いので、前述の検出後、直ぐに通常モードに復帰することで、該復帰が完了するまでのユーザの待ち時間を少なくすることができる。
【００８８】
待機状態が規定時間継続したか否かの判断は、最後に待機状態になった時からの経過時間をカウントする省電力移行タイマを設け、ＣＰＵ１１がこの該省電力移行タイマを監視し、カウントした経過時間が規定時間に達しているか否かによって判断する。
【００８９】
なお、画像形成装置１０は、新たなファイルが書き込まれたことを検出した場合は、前述の規定時間を延長してもよい。新たなデータが書き込まれたら省電力移行タイマのカウントをリセットする場合、該リセット後に（新たなデータが書き込まれた時点で省電力モードの場合は通常モードに移行し）、待機状態で延長された規定時間が経過するまで省電力モードに移行しない。よって、新たなデータが書き込まれてから、なかなか操作がない場合などに対応する。
【００９０】
なお、新たなデータが書き込まれた時に、省電力移行タイマのカウントをリセットしない場合、新たなデータが書き込まれた時点で、省電力移行タイマのカウントが規定時間に達する直前であっても、規定時間を延長すれば、その延長した時間分だけ省電力モードに移行するまで余裕が生まれる。よって、書き込まれたデータに対する操作を受ける前に、通常モードから省電力モードに入ってしまう可能性が低くなる。
【００９１】
図９は、ＳＤカードが装着された画像形成装置１０が実行する処理のフローチャートを示す。まず、ＳＤカードが装着されたら（ステップＳ１０１）、そのＳＤカードが無線ＳＤカード３５か、無線機能を持たない通常のＳＤカードかを調べる（ステップＳ１０２）。
【００９２】
無線機能を持たない通常のＳＤカードである場合は（ステップＳ１０２；Ｎｏ）、該ＳＤカード内の記憶内容から、サムネイル画像によるファイルの一覧を作成し（ステップＳ１０３）、本処理を終了する。なお、以後はこの一覧をベースに、印刷対象のファイルの選択などを受け付けるとともに、該ＳＤカード内の記憶内容の変化の検査は行わない。
【００９３】
無線ＳＤカード３５である場合は（ステップＳ１０２：Ｙｅs）、無線ＳＤカード３５の記憶内容をチェックする（ステップＳ１０４）。
【００９４】
ステップＳ１０４のチェックが、装着されたＳＤカードの記憶内容の初回チェックである場合、または２回目以降のチェックであって前回のチェック時と記憶内容に変化がある場合は（ステップＳ１０５；Ｙｅｓ）、現在省電力モードであるか否かを調べる（ステップＳ１０６）。２回目以降のチェックであって、前回のチェック時と記憶内容に変化が無い場合は（ステップＳ１０５；Ｎｏ）、ステップＳ１０４に戻って処理を継続する。
【００９５】
省電力モードの状態であれば（ステップＳ１０６；Ｙｅｓ）、省電力モードから通常電力モードに復帰する処理を行い（ステップＳ１０７）、ステップＳ１０８に進む。通常電力モードの状態であれば（ステップＳ１０６；Ｎｏ）、省電力移行タイマがカウントした待機状態での経過時間をリセット（クリア）（ステップＳ１０８）する。
【００９６】
次に、サムネイル画像の一覧を更新する（ステップＳ１０９）。ステップＳ１０４のチェックが初回チェックである場合は、全てのファイルのサムネイル画像を生成して、サムネイル画像の一覧を作成する。２回目以降のチェックである場合は、前回のチェック時との変更点のみを更新する。たとえば、追加されたファイルがある場合は、その追加されたファイルのサムネイル画像を生成し、一覧に追加する。削除されたファイルがある場合は、その削除されたファイルのサムネイル画像を一覧から削除する。
【００９７】
次に、ファイルの内容を解析し（ステップＳ１１０）、解析したファイルの中に印刷指示を含むファイルがあるか否かを調べる（ステップＳ１１１）。ステップＳ１０４のチェックが初回チェックである場合は、全てのファイルを解析する。２回目以降のチェックである場合は、前回のチェック時と比べて変化のあったファイル（追加されたファイルや変更されたファイル）のみを解析する。
【００９８】
印刷指示がなければ（ステップＳ１１１；Ｎｏ）、ステップＳ１０４に戻って処理を継続する。印刷指示がある場合は（ステップＳ１１１；Ｙｅｓ）、ハードディスク装置１５（図中ではＨＤＤと記す）に、該印刷指示の対象となるファイルを複製し（ステップＳ１１２）、その複製ファイルに基づいて印刷を実行し（ステップＳ１１３）、その後、ステップＳ１０４に戻って処理を継続する。なお、印刷指示と印刷対象のデータが別々のファイルである場合は、印刷後に印刷指示を含むファイルを削除するようにしてもよい。印刷対象のデータと印刷指示が同じファイルに含まれている場合は、該印刷指示の部分のみ削除する。
【００９９】
なお、ステップＳ１０４の処理は、新たに無線ＳＤカードが装着された時、および一定時間が経過する毎に実行される。
【０１００】
また、省電力移行タイマがカウントする経過時間は、ステップＳ１０８だけでなく、ステップＳ１１３にて印刷が終了した時点などのようにジョブの終了時や、ユーザから操作を受ける度にリセットされる。
【０１０１】
このように、画像形成装置１０は、無線ＳＤカード３５が装着されたら、該無線ＳＤカード３５の記憶内容からサムネイル画像によるファイルの一覧を作成し、表示部３１に表示する。その後、無線ＳＤカード３５の記憶内容の変化の検査を繰り返し実行し、変化を検出したら、その変化に応じて該一覧を更新する。これにより、外部の装置から無線ＳＤカード３５の記憶内容が変更されたことを直ぐに検知し、該変更を表示に反映させることができる。
【０１０２】
また、該変更によって、印刷指示が追加された場合、該印刷指示に従って印刷を行う。これにより、無線ＳＤカード３５の記憶内容が変更されてから、直ぐに該印刷指示に基づく印刷が自動で実行される。
【０１０３】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０４】
本発明の実施の形態では、リムーバブル記憶装置としてＳＤカードを例に説明したが、リムーバブル記憶装置はＳＤカード以外であってもよい。たとえば、ＵＳＢ（Universal Serial Bus）メモリなどであってもよい。
【０１０５】
本発明の実施の形態では、画像形成装置１０を例に説明したが、本発明は、画像形成装置１０から外部メモリ接続部２１と、ＣＰＵ１１、ＲＯＭ１２、ＲＡＭ１３とを抜き出した情報処理装置であってもよい。たとえば、装着されたリムーバブル記憶装置内の画像ファイルに基づいて画像を表示するフォトフレームなどのような表示装置などであってもよい。
【０１０６】
本発明の実施の形態では、無線ＳＤカード３５が装着された場合のみ、記憶内容の変化の検査を繰り返し行う構成であったが、無線通信機能を有するか否かをチェックせず、リムーバブル記憶装置が接続されている間は常に検査を繰り返す構成であってもよい。
【０１０７】
本発明の実施の形態では、画像形成装置１０は、サムネイル画像の一覧を表示していたが、ファイル名の一覧であってもよい。なお、該一覧を表示しなくともよい。ファイルの一覧を表示しなくとも、たとえば、印刷指示を含むファイルが追加されていた場合に、自動的に該印刷指示に従って印刷を実行すればよい。
【０１０８】
本発明の実施の形態では、無線ＳＤカード３５に追加記憶された印刷指示は、無線ＳＤカード３５内に記憶されたファイルのみを印刷対象としていたが、画像形成装置１０に保存されているファイルを印刷対象として指定してもよい。
【０１０９】
本発明の実施の形態では、待機状態で規定時間が経過した場合に通常モードから省電力モードに移行していたが、ユーザの操作等、他の条件で省電力モードに移行してもよい。
【符号の説明】
【０１１０】
１０…画像形成装置
１１…ＣＰＵ
１２…ＲＯＭ
１３…ＲＡＭ
１４…不揮発メモリ
１５…ハードディスク装置
１６…画像処理部
１７…画像読取部
１８…プリンタ部
１９…ファクシミリ通信部
２０…ネットワーク通信部
２１…外部メモリ接続部
２２…ＡＤＦ
３０…操作パネル
３１…表示部
３２…操作部
３３…スイッチ部
３４…タッチパネル部
３５…無線ＳＤカード
４０…携帯端末
４１…ＣＰＵ
４２…ＲＯＭ
４３…ＲＡＭ
４４…不揮発メモリ
４５…ハードディスク装置
４６…ネットワーク通信部
５０…操作表示部
５１…表示部
５２…操作部
５３…スイッチ部
５４…タッチパネル部
６０…一覧
６１…パスワード入力画面
６２…マーク
６３…印刷釦
【図２】
2015098160.tif 000003
【図３】
2015098160.tif 000004
【図７】
2015098160.tif 000005
【図９】
2015098160.tif 000006
【図１】
2015098160.tif 000007
【図４】
2015098160.tif 000008
【図５】
2015098160.tif 000009
【図６】
2015098160.tif 000010
【図８】
2015098160.tif 000011